(57)【要約】【課題】屋内を効果的に脱臭すると共に通気路を除菌してカビ等の発生を抑えることができ、且つ、施工が容易なパネル装置を提供することを課題とする。【解決手段】建物の内装面の一部を構成するパネル装置である。建築用パネル２の表面に吸気口９及び排気口１０が設けられる。建築用パネル２の内部に吸気口９と排気口１０とを連通させる通気路１２が形成される。建築用パネル２に吸気口９から通気路１２に空気を吸い込んで排気口１０から排出する送風手段が設けられる。建築用パネル２にナノメーターサイズの帯電微粒子液を生成すると共に通気路１２に供給する静電霧化装置２０が設けられる。【選択図】図１
2011069128.tif 000002
【特許請求の範囲】
【請求項１】
建物の内装面の一部を構成するパネル装置であって、建築用パネルの表面に吸気口及び排気口が設けられると共に、建築用パネルの内部に吸気口と排気口とを連通させる通気路が形成され、建築用パネルに吸気口から通気路に空気を吸い込んで排気口から排出する送風手段が設けられ、建築用パネルにナノメーターサイズの帯電微粒子液を生成すると共に通気路に供給する静電霧化装置が設けられていることを特徴とするパネル装置。
【請求項２】
前記静電霧化装置が帯電微粒子液を通気路の通気方向と交差する方向に放出して通気路に供給するものであることを特徴とする請求項１に記載のパネル装置。
【請求項３】
前記静電霧化装置が通気路の下流端部に設けられていることを特徴とする請求項２に記載のパネル装置。
【請求項４】
前記排気口から通気路に空気を吸い込んで吸気口から排出する逆送風手段を備えていることを特徴とする請求項１乃至３のいずれか１項に記載のパネル装置。
【発明の詳細な説明】
【技術分野】
【０００１】
本発明は建築用パネルに屋内空気を循環させる機能を付加したパネル装置に関する。
【背景技術】
【０００２】
従来から建物の壁に形成した通気路にファンと脱臭機能を有するハニカム材を設けて屋内空気を循環させると共に脱臭する機能を付加したものが例えば特許文献１により知られている。
【先行技術文献】
【特許文献】
【０００３】
【特許文献１】特開２００２−２３９３２６号公報
【発明の概要】
【発明が解決しようとする課題】
【０００４】
しかし、特許文献１の通気路、ファン、及びハニカム材は、壁を構成する外壁材と内壁材との間に設ける作業が必要となる。また、ハニカム材は通気路を通過する屋内空気の臭気成分を除去するものであって、屋内を直接脱臭するものではないため、屋内を脱臭する能力が低い。また、屋内湿度が高い場合には通気路で結露が生じてカビ等が発生する恐れもある。
【０００５】
本発明は上記事情に鑑みてなされたものであって、屋内を効果的に脱臭すると共に通気路を除菌してカビ等の発生を抑えることができ、且つ、施工が容易なパネル装置を提供することを課題とする。
【課題を解決するための手段】
【０００６】
上記課題を解決するために本発明のパネル装置は建物の内装面の一部を構成するものであり、以下の構成を有する。建築用パネル２の表面に吸気口９及び排気口１０が設けられると共に、建築用パネル２の内部に吸気口９と排気口１０とを連通させる通気路１２が形成される。また、建築用パネル２に吸気口９から通気路１２に空気を吸い込んで排気口１０から排出する送風手段が設けられる。また、建築用パネル２にナノメーターサイズの帯電微粒子液を生成すると共に通気路１２に供給する静電霧化装置２０が設けられる。
【０００７】
このパネル装置を利用するには、送風手段により屋内空気を循環させると共に、静電霧化装置２０により帯電微粒子液を生成してこの帯電微粒子液を通気路１２を流れる空気に乗せて該空気と共に屋内に供給する。前記帯電微粒子液は粒子径がナノメータサイズと小さく、強い電荷を持つため、拡散性が高く、長時間浮遊し、また、帯電微粒子液に含まれる活性種により、臭気成分を除去すると共に殺菌する作用を有する。このため、帯電微粒子液が屋内の広い範囲に供給されて室内壁面やカーテン等に侵入し、この帯電微粒子液に含まれる活性種によって屋内を細部まで脱臭・除菌することができる。また、ここで利用される吸気口９、排気口１０、通気路１２、送風手段、及び静電霧化装置２０は、建築用パネル２を設置するだけで建物に設けることができるので、建築用パネル２とは別に設置する必要がなくて、施工が容易になる。また、前記帯電微粒子液にて通気路１２の除菌・脱臭を行うこともでき、通気路１２に臭いやカビ等が発生することも防止できる。
【０００８】
また、前記静電霧化装置２０が帯電微粒子液を通気路１２の通気方向と交差する方向に放出して通気路１２に供給するものであることが好ましい。このようにすると、静電霧化装置２０から通気路１２の断面において広い範囲に帯電微粒子液を放出することができ、これによって排気口１０や吸気口９から屋内に向けて均一に帯電微粒子液を放出することができる。
【０００９】
また、前記静電霧化装置２０が通気路１２の下流端部に設けられていることが好ましい。このようにすると、送風手段の駆動時には、静電霧化装置２０から通気路１２に供給された帯電微粒子水をすぐに排気口１０から屋内に供給して、屋内をより効果的に脱臭することができる。
【００１０】
また、パネル装置は前記排気口１０から通気路１２に空気を吸い込んで吸気口９から排出する逆送風手段を備えることが好ましい。このようにすると、逆送風手段による送風時において静電霧化装置２０にて帯電微粒子水の生成することで、送風手段による送風時において静電霧化装置２０の上流側となる領域にも帯電微粒子液を供給して、脱臭・除菌を行うことができる。
【発明の効果】
【００１１】
本発明のパネル装置にあっては、屋内を効果的に脱臭すると共に通気路を除菌することができ、尚且つ施工が容易である。
【図面の簡単な説明】
【００１２】
【図１】本発明の実施形態のパネル装置を示す斜視図である。
【図２】同上のパネル装置の設置状態を示す水平断面図である。
【図３】同上の静電霧化装置の説明図である。
【図４】他の実施形態のパネル装置を示す斜視図である。
【発明を実施するための形態】
【００１３】
以下、本発明を添付図面に基づいて説明する。図１及び図２に示される本実施形態のパネル装置１は建物の内装壁の一部を構成するものであり、内装壁材として利用される建築用パネル２に屋内空気を循環させるサーキュレーター機能を付加したものである。なお、以下の説明では、パネル装置１が建物に設置されたときの方向を基準として説明し、屋内側を前方、屋外側を後方として説明する。
【００１４】
建築用パネル２は上下に長い矩形状に形成され、表面を構成する表面形成材５と、この背方に設けられる板金製のベース３と構成されている。ベース３は前方に向けて開口する扁平で上下に長い長方形箱状の風洞部１３で主体が構成され、表面形成材５は風洞部１３の開口を塞ぐよう風洞部１３の前側に取付けられている。
【００１５】
表面形成材５は、下端部を構成する下カバー６と、上端部を構成する上カバー７と、この間の表面板８とで構成され、全体として上下に長い長方形板状に形成されている。下カバー６は風洞部１３の下端部の前方に配置され、下カバー６には吸気口９が形成されている。上カバー７は風洞部１３の上端部の前方に配置され、上カバー７には排気口１０が形成されている。
【００１６】
風洞部１３とこの前方に配設された表面形成材５との間には通気路１２が形成され、前記吸気口９と排気口１０は通気路１２を介して連通している。
【００１７】
通気路１２の下端部である上流側端部には送風手段を構成するファン１９が配設されている。ファン１９は表面板８の前面等に設けられた操作部を操作することで駆動する。ファン１９が駆動すると、屋内空気は吸気口９を介して通気路１２に吸い込まれ、この後、ファン１９を通過して通気路１２を上昇し、排気口１０を介して屋内に排出される。これによって屋内空気を循環させることができる。
【００１８】
また、本実施形態のファン１９は正逆反転して駆動することで、排気口１０から通気路１２に空気を吸い込んで吸気口９から排出する逆送風手段を構成する。このようなファン１９を用いることにより、例えば冬場の暖房使用時等において、ファン１９により天井近傍に滞留した暖気を排気口１０から通気路１２に空気を吸い込んで吸気口９から排出し、屋内空気の温度分布を均等にすることができる。
【００１９】
風洞部１３の両側には外側方に向けて突出する突片部１５が一体に形成されている。各突片部１５には図示しない係合部が設けられて対応する前側のカバー６、７が着脱自在に係合される。
【００２０】
また、各突片部１５はパネル装置１を建物躯体に固着される固着部を構成する。パネル装置１を施工するには、例えば図２に示されるようにベース３の風洞部１３を対向する２本の間柱１７の間に埋め込むと共に、各突片部１５の背面を被設置面を構成する間柱１７の前面に沿わせ、この状態で各突片部１５をねじ等の固着具を用いて間柱１７に固着する。このように建物壁に埋め込まれた状態で設置されたパネル装置１は、表面形成材５の前面が他の内装面と略面一となって内装面の一部を構成する。なお、パネル装置１は、各突片部１５の背面を図示しないスペーサーを介して壁面に当接し、これら各突片部１５を建物躯体に固着することで施工されるものであってもよい。
【００２１】
そして、図１のように建築用パネル２には脱臭効果や殺菌効果等を有する帯電微粒子液を発生させる静電霧化装置２０が内蔵されている。
【００２２】
この静電霧化装置２０の概略図を図３に示す。図に示されるように静電霧化装置２０は、霧化部２１と、霧化部２１に霧化させる液体を供給する液供給部を備え、液供給部から供給された液体を霧化部２１にて静電霧化し、これにより帯電微粒子液を発生させるものである。
【００２３】
霧化部２１は、霧化電極２４と、霧化電極２４に対向する対向電極２５を備えている。霧化電極２４の表面に液供給部から供給された液体が保持された状態で、高電圧印加部２７によって霧化電極２４と対向電極２５との間に高電圧が印加されると、霧化電極２４と対向電極２５との間で電界が形成されると共に霧化電極２４の先端に電界が集中して電荷が高密度となり、電荷の反発力で霧化電極２４の表面に保持された液体が弾けて分裂・飛散を繰り返して静電霧化が行われる。これによって霧化電極２４上の液体が霧化電極２４の先端にて静電霧化され、生成された帯電微粒子液が対向電極２５の孔を通して霧化電極２４の先端側に放出される。この帯電微粒子液は粒子径がナノメータサイズ（３〜数十ｎｍ程度）となる小さなもので強い電荷を持ち、且つ、反応性に富む活性種を含むものであって、高い脱臭効果や殺菌効果等を奏するものである。
【００２４】
液供給部はペルチェユニットで構成され、冷却側となる冷却部２８と放熱側となる放熱部２９とを備え、冷却部２８には前記霧化電極２４が熱的に接続されている。ペルチェユニットに通電がなされると、冷却部２８及びこれに接続された霧化電極２４が冷却され、空気中の水分を基にして霧化電極２４上に結露水が生成され、この結露水が前記霧化部２１にて静電霧化させる液体となる。なお、図３中符号２３は霧化部２１への電圧印加及びペルチェユニットへの通電を制御する制御部である。
【００２５】
前記静電霧化装置２０は図１に示されるように上下に長い通気路１２の左右方向の一側端部に配設され、また、生成された帯電微粒子液が通気路１２を流れる空気の通気方向と直交する方向に放出されるよう霧化電極２４の先端を通気路１２の反対側の側端部に向けた状態で設置されている。
【００２６】
静電霧化装置２０はファン１９の駆動時に帯電微粒子液を生成するものであって、霧化部２１で生成された帯電微粒子液は通気路１２の中途の側端部から通気路１２を流れる空気の通気方向と直交する方向（左右方向）に放出され、ファン１９の正転時には通気路１２を上昇する空気に乗って該空気と共に排気口１０から屋内に排出され、また、ファン１９の逆転時には通気路１２を下降する空気に乗って該空気と共に吸気口９から屋内に排出される。
【００２７】
このようにして屋内に放出された帯電微粒子液は屋内を浮遊して屋内の細部にまで至って臭気成分を除去し、また、室内壁面やカーテン等にも侵入して臭気成分を除去し、屋内を効率良く脱臭する。また、この帯電微粒子液が通気路１２を通過するときには、通気路１２を脱臭すると共に通気路１２を除菌し、これによって通気路１２にカビが発生することも防止される。
【００２８】
また、本実施形態の静電霧化装置２０で生成された帯電微粒子液は通気路１２を流れる空気の通気方向と直交する方向に放出されるものであるので、静電霧化装置２０から通気路１２の断面において広い範囲に帯電微粒子液を放出することができ、これによって排気口１０や吸気口９から屋内に向けて均一に帯電微粒子液を放出することができ、また、通気路１２の広い範囲を脱臭・除菌することができる。
【００２９】
また、ファン１９を逆転駆動することにより、通気路１２の正転時において静電霧化装置２０よりも上流側に位置する領域にも帯電微粒子液を含む空気を通過させ、この領域の脱臭・除菌を行うことができる。すなわち静電霧化装置２０の駆動すると共にファン１９を正逆両方向に駆動することによって、通気路１２の全体を脱臭・除菌することが可能となる。
【００３０】
次に上記とは異なる実施形態を以下に示す。なお、上記実施形態と同一の構成については同一の番号を付与し、重複する説明は省略する。
【００３１】
図４に示される本実施形態のパネル装置１は、静電霧化装置２０が通気路１２の下流端部に設けられて排気口１０の近傍に位置している。該静電霧化装置２０は上記実施形態と同様に通気路１２の側端部から通気路１２を流れる空気の通気方向と直交する方向（左右方向）に放出するものである。このように静電霧化装置２０を通気路１２の下流端部に設けることにより、ファン１９の正転駆動時には、静電霧化装置２０から通気路１２に供給された帯電微粒子水をすぐに排気口１０から屋内に排出し、屋内をより効果的に脱臭することができる。また、ファン１９の逆転駆動時には、静電霧化装置２０から通気路１２に供給された帯電微粒子水を通気路１２の全体に行き渡らせることが可能となり、通気路１２の除菌・脱臭をより効果的に行うことができる。
【００３２】
なお、前記各実施形態では、通気路１２に、調湿機能及び脱臭機能を有するハニカム材、脱臭フィルター等を設け、パネル装置１の脱臭機能を高めたり、他の機能を付加してもよい。この場合、ハニカム材や脱臭フィルターはファン１９の正転駆動時における静電霧化装置２０よりも上流側に設けると、正転駆動時において帯電微粒子液を屋内に効率よく供給できてよい。
【００３３】
また、前記各実施形態では静電霧化装置２０から帯電微粒子液を通気方向と直交する方向に放出したが、該放出方向は通気方向とのなす角度が９０度未満となるよう傾斜するものであってもよく。すなわち帯電微粒子液の放出方向は通気方向と交差する方向であればよい。また、前記各実施形態では逆送風手段をファン１９により構成したが、逆送風手段としてファン１９とは別にファンを設け、該ファンで排気口１０から通気路１２に空気を吸い込んで吸気口９から排出するようにしてもかまわない。さらに静電霧化装置２０の霧化電極２４に液体を供給する液供給部をペルチェユニットで構成したが、例えば霧化電極を液体を溜めるタンクに連通してタンクから毛細管現象により霧化電極２４に液体を供給するキャピラリーで構成し、このタンクとキャピラリーからなる霧化電極で液供給部を構成する等、液供給部として従来から知られている種々の手段を用いてもよいものとする。また、対向電極２５を省略し、高電圧印加部２７によって霧化電極２４に電圧を印加して帯電微粒子液を生成するものであってもよい。さらに本実施形態のパネル装置１は建物の壁を構成するものであるが、天井等のその他の内装面を構成するものとしてもよいものとする。
【符号の説明】
【００３４】
１  パネル装置
２  建築用パネル
９  吸気口
１０  排気口
１２  通気路
２０  静電霧化装置
【図１】
2011069128.tif 000003
【図２】
2011069128.tif 000004
【図３】
2011069128.tif 000005
【図４】
2011069128.tif 000006